(57)【要約】【課題】展開された箱体の幅寸法を短縮することができ、箱体のコストを低減することができる箱体を提供する。【解決手段】平面視四角形をなし、底部を有する箱本体１と、該箱本体１の対向する２枚の第１側板１２，１３の一方に第１折目２を介して連なる内蓋３と、第１側板１２，１３の他方に第２折目４を介して連なる外蓋５とを備え、該外蓋５に、先端縁５ａの複数箇所にて欠除された欠除部５１，５１及び該欠除部５１，５１間で欠除部５１，５１夫々に連なる封緘片５２を設け、該封緘片５２が嵌入される長孔３１を第１折目２から離隔して内蓋３に設けることにより、封緘片５２の突出をなくし、展開された箱体の幅寸法を短縮することができるようにした。【選択図】図１
2010013163.tif 000002
【特許請求の範囲】
【請求項１】
平面視四角形をなす箱本体と、該箱本体の対向する２枚の第１側板の一方に第１折目を介して連なる内蓋と、第１側板の他方に第２折目を介して連なる外蓋とを備える箱体において、前記外蓋は、先端縁の複数箇所にて欠除された欠除部及び該欠除部間で欠除部夫々に連なる封緘片を有し、前記内蓋は、前記封緘片が嵌入される長孔を前記第１折目から離隔して配してあることを特徴とする箱体。
【請求項２】
前記封緘片は、前記先端縁及び第２折目間に配してある請求項１記載の箱体。
【請求項３】
前記外蓋は、前記封緘片の基部に第２長孔を有し、前記内蓋は、該第２長孔に嵌入される抜止片を有する請求項１又は２記載の箱体。
【請求項４】
前記抜止片の基部は前記第１折目に連なる請求項３記載の箱体。
【発明の詳細な説明】
【技術分野】
【０００１】
本発明は薄型テレビジョンなどの被収容物を収容するための段ボール箱等の箱体に関する。
【背景技術】
【０００２】
被収容物を収容して梱包するための段ボール紙製の箱体は特許文献１に記載されている。図１４は特許文献１に記載された箱体の構成を示す展開図、図１５は特許文献１に記載された箱体の構成を示す斜視図である。この箱体は、平面視四角形をなし、底部を有する箱本体１００と、該箱本体１００の対向する２枚の第１側板１０１，１０２の一方に第１折目１０３を介して連なる内蓋１０４と、他方の第１側板１０２に第２折目１０５を介して連なる外蓋１０６と、該外蓋１０６の先端縁に連なる封緘片１０７と、第１折目１０３と交差して第１側板１０１，１０２及び内蓋１０４に配された切目内で一方の第１側板１０１に連なる抜止片１０８とを備え、封緘片１０７が嵌入される第１長孔１０９を内蓋１０４に設けてあり、抜止片１０８が嵌入される第２長孔１１０を封緘片１０７の基部に設けてある。また、封緘片１０７は外蓋１０６の先端縁から外方へ突出しており、第１長孔１０９は第１折目１０３に沿って開設されている。
【０００３】
このように構成された箱体は、箱本体１００内へ被収容物を収容した後、内蓋１０４を第１折目１０３から折り、さらに外蓋１０６を第２折目１０５から折り、封緘片１０７を第１長孔１０９に嵌入した後、抜止片１０８を第２長孔１１０に嵌入することにより梱包される。
【０００４】
また、箱体は帯状をなす段ボール紙を所定長さの所定形状に打抜き成形されるとともに、所定個所に複数の折目、長孔及び切目が設けられ、折目夫々から折曲げることにより箱体が組立てられる。また、帯状の段ボール紙は５０mm単位で定尺幅が変わり、定尺幅に対応した価格で販売される。
【０００５】
図１６は薄型テレビジョンが梱包される従来の段ボール紙製の箱体の構成を示す展開図、図１７は展開された従来の箱体の周方向となる両端を結合する際の説明図、図１８は薄型テレビジョンが梱包される前の状況を示す説明図、図１９は箱体の蓋部分を拡大した斜視図、図２０は外蓋が封緘される前の状況を示す説明図、図２１は薄型テレビジョンが梱包された状態を示す斜視図である。この箱体は、図１４，図１５に示す特許文献１記載の箱体と基本的に同様に構成されているため、同様の部品については同じ符号を付する。箱体が梱包する薄型テレビジョンは高さよりも横方向の長さが長く、比較的大型であるため、図１６に示すように帯状をなす段ボール紙の幅方向一方側に内蓋１０４及び外蓋１０６が配される。
【特許文献１】実開昭６０−７８７１６号公報
【発明の開示】
【発明が解決しようとする課題】
【０００６】
ところが、特許文献１記載の箱体と同様に構成された従来の箱体は、封緘片１０７が外蓋１０６の先端縁から外方へ突出しており、第１折目１０３に沿って内蓋１０４に開設されている第１長孔１０９に封緘片１０７が嵌入されるように構成されているため、定尺幅内に封緘片１０７を配することができる帯状の段ボール紙を打抜き成形する必要があり、段ボール紙のコスト、ひいては箱体のコストが高くなり、改善策が要望されていた。また、封緘片１０７が外蓋１０６の先端縁から外方へ突出しているため、展開された箱体の周方向となる両端を接着剤等で結合するとき、展開された箱体の幅方向両端の位置決めが行い難く、図１７に示すように結合端が位置ずれし易く、変形した箱体になり易いという問題もあった。
【０００７】
本発明は斯かる事情に鑑みてなされたものであり、主たる目的は外蓋に、先端縁の複数箇所にて欠除された欠除部及び該欠除部間で欠除部夫々に連なる封緘片を設け、内蓋に、封緘片が嵌入される長孔を第１折目から離隔して設けることにより、封緘片が外蓋の先端縁よりも突出するのをなくし、展開された箱体の幅寸法を短縮することができ、箱体の材料費、ひいては箱体のコストを低減することができる箱体を提供することにあり、また、他の目的は展開された箱体の周方向となる両端を接着剤等で結合するとき、展開された箱体の幅方向両端を位置決めすることができる箱体を提供することにある。
【課題を解決するための手段】
【０００８】
本発明に係る箱体は、平面視四角形をなす箱本体と、該箱本体の対向する２枚の第１側板の一方に第１折目を介して連なる内蓋と、第１側板の他方に第２折目を介して連なる外蓋とを備える箱体において、前記外蓋は、先端縁の複数箇所にて欠除された欠除部及び該欠除部間で欠除部夫々に連なる封緘片を有し、前記内蓋は、前記封緘片が嵌入される長孔を前記第１折目から離隔して配してあることを特徴とする。
【０００９】
この発明にあっては、外蓋の先端縁に複数の欠除部があり、欠除部間で欠除部夫々に封緘片が連なっているため、封緘片が外蓋の先端縁よりも外部へ突出するのをなくすることが可能であり、展開された箱体の幅寸法を短縮することができる。しかも、封緘片が嵌入される長孔が、第１折目から離隔して配してあるため、封緘片を長孔に確実に嵌入することができる。
【００１０】
また、本発明に係る箱体は、前記封緘片は、前記先端縁及び第２折目間に配してある構成とするのが好ましい。
この発明にあっては、封緘片が外蓋の先端縁よりも突出していないため、展開された箱体の周方向となる両端を接着剤等で結合するとき、展開された箱体の幅方向両端の位置決めを容易に行うことができ、前記周方向となる両端を位置ずれさせることなく正確に結合することができ、位置ずれによる箱体の不良率を低減できる。
【００１１】
また、本発明に係る箱体は、前記外蓋は、前記封緘片の基部に第２長孔を有し、前記内蓋は、該第２長孔に嵌入される抜止片を有する構成とするのが好ましい。
この発明にあっては、第２長孔に嵌入される抜止片を内蓋に設けてあるため、抜止片を大形にすることなく、該抜止片を第２長孔に嵌入することができ、しかも、抜止片用の切目を第１側板に設ける必要がなく、第１側板の剛性を高めることができる。
【００１２】
また、本発明に係る箱体は、前記抜止片の基部は前記第１折目に連なる構成とするのが好ましい。
この発明にあっては、第１折目が抜止片の折目を兼ねるため、抜止片用の折目を設けることなく、抜止片を容易に折り曲げることができる。
【発明の効果】
【００１３】
本発明によれば、外蓋の先端縁に複数の欠除部があり、欠除部間で欠除部夫々に封緘片が連なっているため、封緘片が外蓋の先端縁よりも突出するのをなくすることが可能であり、展開された箱体の幅寸法を短縮することができる。しかも、封緘片が嵌入される長孔が、第１折目よりも離隔して配してあるため、封緘片を長孔に確実に嵌入することができる。
【発明を実施するための最良の形態】
【００１４】
以下本発明をその実施の形態を示す図面に基づいて詳述する。
実施の形態１
図１は本発明に係る箱体の構成を示す展開図、図２は箱体の構成を示す斜視図、図３は箱体の蓋部分を拡大した斜視図、図４は外蓋が封緘される前の状態を示す斜視図、図５は外蓋が封緘されている状態の拡大断面図である。
【００１５】
図２に示した箱体は平面視四角形をなす段ボール箱であり、図１の展開図に示すように、平面視四角形をなし、四つの底片１１を有する段ボール紙製の箱本体１と、該箱本体１の一方向に対向する２枚の第１側板１２，１３の一方の上縁に第１折目２を介して連なる内蓋３と、他方の第１側板１３の上縁に第２折目４を介して連なる外蓋５と、箱本体１の他方向に対向する２枚の第２側板１４，１４の上縁に第３折目６，６を介して連なる二つの天蓋７，７とを備える。
【００１６】
箱本体１の第１側板１２，１３及び第２側板１４，１４は図１に示すように交互に配され、折目により互いに連なっており、一方の第２側板１４の周方向となる一縁に折目を介して連なる結合片１５が他方の第１側板１３の周方向となる一縁部に結合されることにより略直方体に形成される。
【００１７】
第１側板１２，１３の横方向長さは、第２側板１４，１４の横方向長さの約２．５倍に形成され、これに対応して第１折目２及び第２折目４の長さは、第３折目６，６の長さの約２．５倍、内蓋３及び外蓋５の長さは、第２側板１４の長さの約２．５倍に夫々形成されており、組立てられた際、横長の略直方体となる。
【００１８】
内蓋３及び外蓋５の幅寸法は、第２側板１４，１４の横方向長さとほぼ等しい寸法に形成されており、横長の略直方体に組立てられた際、内蓋３及び外蓋５夫々が箱本体１の天部を閉じ、箱体の剛性を高めるように構成されている。
【００１９】
外蓋５の先端縁５ａには、離隔した２箇所に略Ｖ字形をなす欠除部５１，５１を配してあり、該欠除部５１，５１夫々間に、欠除部５１，５１に連なる封緘片５２を配してある。
【００２０】
欠除部５１，５１の深さ、及び封緘片５２の高さは外蓋５の幅寸法の約１／６であり、封緘片５２の基部に、第４折目５３及び該第４折目５３に沿う第２の長孔５４が設けられている。封緘片５２は前記先端縁５ａの中央部に配され、第２の長孔５４は封緘片５２の長手方向中央部に配されている。また、第２の長孔５４は後記する抜止片８の幅寸法に対応した長さで、抜止片８の厚さよりも若干広幅に形成されている。
【００２１】
内蓋３の第１折目２に連なる基部で長手方向の中央部には、封緘片５２が嵌入される第１の長孔３１、及び第２の長孔５４に嵌入される抜止片８が設けられている。
【００２２】
第１の長孔３１は、封緘片５２の高さ相当分第１折目２と離隔した位置に、第１折目２と平行的に配してある。また、第１の長孔３１は、封緘片５２の長さに対応した長さで、封緘片５２の厚さよりも若干広幅に形成されている。
【００２３】
抜止片８は、第１折目２に連なり略コ字形をなす切目３２により取り囲まれ、第１の長孔３１の離隔距離よりも長く形成されており、長手方向の途中、詳しくは封緘片５２の高さ相当分第１折目２と離隔した位置に、第５折目８１が第１折目２と平行的に設けられている。
【００２４】
箱本体１の四つの底片１１の二つは第１側板１２，１３の下縁に折目により連なり、残り二つは第２側板１４，１４の下縁に折目により連なっている。
【００２５】
以上のように構成された箱体は、底片１１、第１側板１３及び外蓋５の幅寸法が加算された幅寸法Ｈ１に対応する定尺幅の帯状の段ボール紙が使用され、該帯状の段ボール紙が、二つの第１側板１２，１３、二つの第２側板１４，１４及び結合片１５の長さが加算された長手寸法Ｈ２に裁断され、第１折目２等の複数の折目、外蓋５等の複数の部片、第１の長孔３１、切目３２等が成形される（図１参照）。この際、外蓋５に設けられる封緘片５２は、外蓋５の先端縁５ａから突出させることなく、先端縁５ａで窪む欠除部５１，５１に連なり、先端縁５ａと第２折目４との間に配してあるため、封緘片５２の高さが加算されない幅寸法Ｈ１に対応した帯状の段ボール紙を使用することができる。因って、封緘片５２の高さが加算された寸法に対応した帯状の段ボール紙を使用する従来の箱体に比べて１ランク低い帯状の段ボール紙により、封緘片５２を有する箱体を形成することができ、箱体の材料費を低減でき、箱体のコストを低減できる。
【００２６】
図６は展開された箱体の周方向となる両端を結合する際の説明図である。図６のように展開された箱体は、封緘片５２が外蓋５の先端縁５ａから突出していないため、展開された箱体の周方向となる両端を結合片１５で結合するとき、展開された箱体の幅方向両側に位置決め部材を平行に配することができ、展開された箱体を両側の位置決め部材に沿って正確に二つ折りすることができ（図６参照）、結合片１５を第１側板１３の一縁部に正確に結合することができる。
【００２７】
周方向となる両端が結合片１５により結合された箱体は、非使用時に扁平につぶされており、使用時には箱本体１を略直方体に引き起こした状態で四つの底片１１を折目から折り、外側の底片１１が例えばステープル止めにより内側の底片１１に固定され、蓋側（天側）が開放された箱本体１に組立てられる。
【００２８】
図７は薄型テレビジョンＡが梱包される前の状況を示す斜視図、図８は薄型テレビジョンが梱包された状態を示す斜視図である。組立てられた箱本体１に薄型テレビジョンＡが収容された後、内蓋３が第１折目２から折られ、外蓋５が第２折目４から折られ、外蓋５に設けられている封緘片５２が内蓋３の第１の長孔３１に嵌入され（図３参照）、内蓋３の抜止片８が第２の長孔５４に嵌入され、梱包される。この際、封緘片５２が嵌入される第１の長孔３１は第１折目２から離隔しており、抜止片８は第１折目２に沿って設けられているため、この抜止片８は、先端部が第５折目８１から曲げられた状態で第２の長孔５４の上方から該長孔５４に嵌入され、外蓋５が封緘される（図３、図８参照）。
【００２９】
実施の形態２
図９は箱体の他の構成を示す展開図である。この箱体は、封緘片５２の全体を外蓋５の先端縁５ａと第２折目４との間に配する代わりに、欠除部５１ａ，５１ａに連なる封緘片５２ａの先部を外蓋５の先端縁５ａよりも突出させたものである。
【００３０】
この実施の形態２において、封緘片５２ａは欠除部５１ａ，５１ａの深さを図１に示す欠除部５１，５１よりも浅くすることにより先部が外蓋５の先端縁５ａよりも突出する構成としてある。また、第１の長孔３１は封緘片５２ａの非突出高さに対応した距離だけ第１折目２と離隔した位置に配される。
【００３１】
この実施の形態２にあっては、外蓋５の先端縁５ａに欠除部５１ａ，５１ａがあり、該欠除部５１ａ，５１ａに封緘片５２ａが連なっており、図１６に示す従来の箱体に比べて封緘片５２ａの先端縁５ａに対する突出量を低減することができるため、この低減量が加算されない幅寸法に対応した帯状の段ボール紙を使用することができる。因って、封緘片の高さが加算された寸法に対応した帯状の段ボール紙を使用する従来の箱体に比べて１ランク低い帯状の段ボール紙により、封緘片を有する箱体を形成することが可能であり、箱体の材料費を低減でき、箱体のコストを低減し得る。
その他の構成及び作用は実施の形態１と同様であるため、同様の部品については同じ符号を付し、その詳細な説明及び作用効果の説明を省略する。
【００３２】
実施の形態３
図１０は箱体の他の構成を示す展開図、図１１は箱体の蓋部分を拡大した斜視図である。この箱体は、抜止片８を第１折目２に沿って設ける代わりに、第１折目２と離隔した位置に、略コ字形をなす切目３２ａにて取り囲まれた抜止片８ａを設けたものである。
【００３３】
この実施の形態３において、抜止片８ａは第１折目２と離隔した位置に切目３２ａを開設することにより第１折目２から離隔して配される。また、抜止片８ａの基部には第１折目２と平行的に折目８２が設けられる。また、封緘片５２及び第１の長孔３１は実施の形態１又は２と同様に形成される。
【００３４】
この実施の形態３にあっては、抜止片８ａは先端部が第５折目８１から曲げられた状態で第２の長孔５４の上方から該長孔５４に嵌入され、外蓋５が封緘される。
その他の構成及び作用は実施の形態１と同様であるため、同様の部品については同じ符号を付し、その詳細な説明及び作用効果の説明を省略する。
【００３５】
実施の形態４
図１２は箱体の他の構成を示す展開図、図１３は箱体の蓋部分を拡大した斜視図である。この箱体は、抜止片８を内蓋３にだけ設ける代わりに、第１側板１２及び内蓋３に配された略コ字形をなす切目９にて取り囲まれた抜止片８ｂが第１側板１２に連なる構成としたものである。
【００３６】
この実施の形態４において、切目９は第１折目２と箱本体１の底部側へ離隔した位置から内蓋３の基部に亘って開設されており、切目９にて取り囲まれた抜止片８ｂは第１側板１２及び内蓋３に配され、第１折目２と箱本体１の底部側へ離隔した位置に抜止片８ｂの折目８３が設けられる。
【００３７】
この実施の形態４にあっては、封緘片５２が嵌入される第１の長孔３１は第１折目２から離隔しており、抜止片８ｂは第１側板１２及び内蓋３に配され、該抜止片８ｂの折目８３が第１折目２と箱本体１の底部側へ離隔した位置に設けられているため、抜止片８ｂは、先端部が第５折目８１から曲げられた状態で第２の長孔５４の側方から該長孔５４に嵌入され、外蓋５が封緘される。第２の長孔５４に嵌入された抜止片８ｂの先端部は外蓋５に沿って横方向に配されるため、箱体が収容する被収容物又は該被収容物に外力が加わるのを緩衝する緩衝体と外蓋５との間の距離が比較的短い場合においても抜止片８ｂの先端部が被収容物又は緩衝体に当接する事態をなくすることができる。
その他の構成及び作用は実施の形態１と同様であるため、同様の部品については同じ符号を付し、その詳細な説明及び作用効果の説明を省略する。
【図面の簡単な説明】
【００３８】
【図１】本発明に係る箱体の構成を示す展開図である。
【図２】本発明に係る箱体の構成を示す斜視図である。
【図３】本発明に係る箱体の蓋部分を拡大した斜視図である。
【図４】本発明に係る箱体の外蓋が封緘される前の状態を示す斜視図である。
【図５】本発明に係る箱体の外蓋が封緘されている状態の拡大断面図である。
【図６】展開された箱体の周方向となる両端を結合する際の説明図である。
【図７】本発明に係る箱体に薄型テレビジョンが梱包される前の状況を示す斜視図である。
【図８】本発明に係る箱体に薄型テレビジョンが梱包された状態を示す斜視図である。
【図９】本発明に係る箱体の他の構成を示す展開図である。
【図１０】本発明に係る箱体の他の構成を示す展開図である。
【図１１】本発明に係る箱体の蓋部分を拡大した斜視図である。
【図１２】本発明に係る箱体の他の構成を示す展開図である。
【図１３】本発明に係る箱体の蓋部分を拡大した斜視図である。
【図１４】特許文献１に記載された箱体の構成を示す展開図である。
【図１５】特許文献１に記載された箱体の構成を示す斜視図である。
【図１６】薄型テレビジョンが梱包される従来の段ボール紙製の箱体の構成を示す展開図である。
【図１７】展開された従来の箱体の周方向となる両端を結合する際の説明図である。
【図１８】従来の箱体に薄型テレビジョンが梱包される前の状況を示す説明図である。
【図１９】従来の箱体の蓋部分を拡大した斜視図である。
【図２０】従来の箱体の外蓋が封緘される前の状況を示す説明図である。
【図２１】従来の箱体に薄型テレビジョンが梱包された状態を示す斜視図である。
【符号の説明】
【００３９】
１    箱本体
１２，１３  第１側板
１４  第２側板
２    第１折目
３    内蓋
３１  長孔
３２，３２ａ，９  切目
４    第２折目
５    外蓋
５ａ  先端縁
５１，５１ａ  欠除部
５２，５２ａ  封緘片
５４  第２の長孔
８，８ａ，８ｂ  抜止片
【図１】
2010013163.tif 000003
【図２】
2010013163.tif 000004
【図３】
2010013163.tif 000005
【図４】
2010013163.tif 000006
【図５】
2010013163.tif 000007
【図６】
2010013163.tif 000008
【図７】
2010013163.tif 000009
【図８】
2010013163.tif 000010
【図９】
2010013163.tif 000011
【図１０】
2010013163.tif 000012
【図１１】
2010013163.tif 000013
【図１２】
2010013163.tif 000014
【図１３】
2010013163.tif 000015
【図１４】
2010013163.tif 000016
【図１５】
2010013163.tif 000017
【図１６】
2010013163.tif 000018
【図１７】
2010013163.tif 000019
【図１８】
2010013163.tif 000020
【図１９】
2010013163.tif 000021
【図２０】
2010013163.tif 000022
【図２１】
2010013163.tif 000023